(57)【要約】【課題】ホストコンピュータにＦＤＣとの接続とＩＳＡバスなどのシリアルバスへ切り替える回路や半導体メモリのコントローラが無くとも半導体メモリへの記録再生可能とする。【解決手段】ホストコンピュータ２とフロッピーインターフェイスケーブル４を介して接続される記録再生装置１において、ホストコンピュータ２と接続されるフロッピーインターフェイス１１と、半導体メモリ５と接続される半導体メモリインターフェイス１２と、半導体メモリ５から複数のファイルを読み込んで複数のフロッピーイメージファイルを一時的に保存する揮発性メモリ１３と、スイッチ１４により複数のフロッピーイメージファイルの中から記録再生が可能な１つのフロッピーイメージファイルを選択する選択回路１６と、選択されたフロッピーイメージファイルの領域を表示するＬＥＤ１７と、を備える。【選択図】図１
2012064262.tif 000002
【特許請求の範囲】
【請求項１】
ホストコンピュータとフロッピーインターフェイスケーブルを介して接続される記録再生装置において、
フロッピーインターフェイスコネクタを介してホストコンピュータと接続されるフロッピーインターフェイスと、
半導体メモリインターフェイスコネクタを介して半導体メモリと接続される半導体メモリインターフェイスと、
前記半導体メモリから複数のファイルを読み込んで複数のフロッピーイメージファイルを一時的に保存する揮発性メモリと、
スイッチにより複数のフロッピーイメージファイルの中から記録再生が可能な１つのフロッピーイメージファイルを選択する選択回路と、
選択されたフロッピーイメージファイルの領域を表示するＬＥＤと、
を具備することを特徴とする記録再生装置。
【請求項２】
ホストコンピュータとフロッピーインターフェイスケーブルを介して接続される記録再生装置において、
フロッピーインターフェイスコネクタを介してホストコンピュータと接続されるフロッピーインターフェイスと、
半導体メモリインターフェイスコネクタを介して半導体メモリと接続される半導体メモリインターフェイスと、
フロッピーイメージファイルを一時的に保存する揮発性メモリと、
スイッチにより前記半導体メモリ内の複数のフロッピーイメージファイルの中から記録再生が可能な１つのフロッピーイメージファイルを選択して、前記揮発性メモリに保存する選択回路と、
選択されたフロッピーイメージファイルの領域を表示するＬＥＤと、
を具備することを特徴とする記録再生装置。
【請求項３】
請求項１または２に記載の記録再生装置であって、
揮発性メモリ内のフロッピーイメージファイルに対してホストコンピュータより書き込みが行われると、該フロッピーイメージファイルに対応した半導体メモリ内のファイルを上書きもしくは新規作成すること、
を特徴とする記録再生装置。
【請求項４】
請求項１または２に記載の記録再生装置であって、
揮発性メモリ内のフロッピーイメージファイルに対して選択スイッチが切り替えられると該フロッピーイメージファイルに対応した半導体メモリ内のファイルを上書きもしくは保存すること、
を特徴とする記録再生装置。
【請求項５】
請求項１または２に記載の記録再生装置であって、
揮発性メモリ内のフロッピーイメージファイルの内容を定期的に半導体メモリ内にバックアップファイルとして保存すること、
を特徴とする記録再生装置。
【請求項６】
請求項１または２に記載の記録再生装置であって、
半導体メモリインターフェイスコネクタを介して接続される装置として、ＵＳＢ接続フロッピーディスクドライブの接続を可能とする記録再生装置。
【発明の詳細な説明】
【技術分野】
【０００１】
本発明はフロッピーディスクドライブインターフェイスあるいはフレキシブルディスクドライブインターフェイスを使用して記録再生が可能な記録再生装置に関する。
【背景技術】
【０００２】
フロッピーディスクドライブあるいはフレキシブルディスクドライブ（以下「ＦＤＤ」とする）は、長年にわたりコンピュータにおける業界標準の外部記憶媒体として用いられてきたが、近年、外部記憶媒体の主流は、半導体メモリに移っている。しかし、製造後１０年以上使用される産業機器コントローラでは、ＦＤＤインターフェイスを供えている装置が多数稼動しているがＦＤＤは普及度が落ちており、ＦＤＤそのものおよび記憶媒体であるフロッピーディスクあるいはフレキシブルディスク（以下「ＦＤ」とする）の入手性が悪くなっている。そこで、ＦＤＤ物理的インターフェイスを使用して、半導体メモリを接続可能とした記録再生装置が考案されている。（特許文献１）
【先行技術文献】
【特許文献】
【０００３】
【特許文献１】特開２００１−２２５３７号公報
【発明の概要】
【発明が解決しようとする課題】
【０００４】
従来の半導体メモリの記録再生機能を備えたディスクドライブでは、ホストコンピュータにフロッピーディスクコントローラあるいはフレキシブルディスクコントローラ（以下「ＦＤＣ」とする）との接続とＩＳＡバスなどのパラレルバスへ切り替える回路が必要であった。また、半導体メモリへの記録再生のため、ホストコンピュータに半導体メモリのコントローラが必要であった。このため、前記パラレルバスへ切り替える回路および半導体メモリコントローラを有していない産業機器コントローラには、接続できないという課題があった。本発明は上記問題に鑑みてなされたものであり、ホストコンピュータにＦＤＣとの接続とＩＳＡバスなどのシリアルバスへ切り替える回路や半導体メモリのコントローラが無くとも半導体メモリへの記録再生が可能な記録再生装置を提供することにある。
【課題を解決するための手段】
【０００５】
本発明の記録再生装置は、ホストコンピュータとフロッピーインターフェイスケーブルを介して接続される記録再生装置において、フロッピーインターフェイスコネクタを介してホストコンピュータと接続されるフロッピーインターフェイスと、半導体メモリインターフェイスコネクタを介して半導体メモリと接続される半導体メモリインターフェイスと、前記半導体メモリから複数のファイルを読み込んで複数のフロッピーイメージファイルを一時的に保存する揮発性メモリと、スイッチにより複数のフロッピーイメージファイルの中から記録再生が可能な１つのフロッピーイメージファイルを選択する選択回路と、選択されたフロッピーイメージファイルの領域を表示するＬＥＤと、を具備することを特徴とする。
【０００６】
本発明の記録再生装置は、ホストコンピュータとフロッピーインターフェイスケーブルを介して接続される記録再生装置において、フロッピーインターフェイスコネクタを介してホストコンピュータと接続されるフロッピーインターフェイスと、半導体メモリインターフェイスコネクタを介して半導体メモリと接続される半導体メモリインターフェイスと、フロッピーイメージファイルを一時的に保存する揮発性メモリと、スイッチにより前記半導体メモリ内の複数のフロッピーイメージファイルの中から記録再生が可能な１つのフロッピーイメージファイルを選択して、前記揮発性メモリに保存する選択回路と、選択されたフロッピーイメージファイルの領域を表示するＬＥＤと、を具備することを特徴とする。
【０００７】
本発明の記録再生装置において、揮発性メモリ内のフロッピーイメージファイルに対してホストコンピュータより書き込みが行われると、該フロッピーイメージファイルに対応した半導体メモリ内のファイルを上書きもしくは新規作成すること、としても好適である。
【０００８】
本発明の記録再生装置において、揮発性メモリ内のフロッピーイメージファイルに対して選択スイッチが切り替えられると該フロッピーイメージファイルに対応した半導体メモリ内のファイルを上書きもしくは保存すること、としても好適であるし、揮発性メモリ内のフロッピーイメージファイルの内容を定期的に半導体メモリ内にバックアップファイルとして保存すること、としても好適であるし、半導体メモリインターフェイスコネクタを介して接続される装置として、ＵＳＢ接続フロッピーディスクドライブの接続を可能とすることとしても好適である。
【発明の効果】
【０００９】
以上のように本発明の記録再生装置によれば、ホストコンピュータにＦＤＣとの接続とＩＳＡバスなどのシリアルバスへ切り替える回路や半導体メモリのコントローラが無くとも半導体メモリへの記録再生が可能となり、且つ、従来複数のＦＤで管理していたデータを一つの半導体メモリで管理できるため、利便性が向上する。また、半導体メモリの容量は、ＦＤの数百倍から数千倍もあるため、前記半導体メモリ内にフロッピーイメージファイルを複数保存し、これらを任意に選択する手段を具備することで、従来は、複数枚のＦＤで管理していたデータを一つの半導体メモリで管理できるようになり、従来のＦＤでの運用よりも利便性を高めることが出来る。
【図面の簡単な説明】
【００１０】
【図１】本発明の制御装置の一例を示すブロック図である。
【図２】本発明の記録再生装置の一例を示す第１の概念図である。
【図３】本発明の記録再生装置の一例を示す第２の概念図である。
【図４】本発明の記録再生装置の一例を示す第１のフローチャートである。
【図５】本発明の記録再生装置の一例を示す第２のフローチャートである。
【図６】本発明の記録再生装置が半導体メモリにフロッピーイメージファイルあるいはフレキシブルディスクイメージファイル（ＦＤイメージファイル）を書き込む一例を示す第３のフローチャートである。
【図７】本発明の記録再生装置が半導体メモリにフロッピーイメージファイルあるいはフレキシブルディスクイメージファイル（ＦＤイメージファイル）を書き込む一例を示す第４のフローチャートである。
【図８】本発明の記録再生装置が半導体メモリにフロッピーイメージファイルあるいはフレキシブルディスクイメージファイル（ＦＤイメージファイル）を書き込む一例を示す第３の概念図である。
【図９】本発明の記録再生装置が半導体メモリにフロッピーイメージファイルあるいはフレキシブルディスクイメージファイル（ＦＤイメージファイル）を書き込む一例を示す第５のフローチャートである。
【図１０】本発明の記録再生装置が半導体メモリからフロッピーイメージファイルあるいはフレキシブルディスクイメージファイル（ＦＤイメージファイル）を読み出す一例を示す第６のフローチャートである。
【図１１】本発明の記録再生装置の一例を示す正投影図である。
【発明を実施するための形態】
【００１１】
本実施形態の記録再生装置は半導体メモリ内にフロッピーイメージファイル（あるいはフレキシブルディスクイメージファイル、ＦＤイメージファイル）を保存し、記録再生装置内のコントローラにより前記フロッピーイメージのファイルをＦＤと等価に見せることで、従来のＦＤＣにより前記フロッピーイメージファイルの読み書きが可能となるものである。図１は本発明の記録再生装置１の一例を示すブロック図である。本発明の記録再生装置１は、ホストコンピュータ２のフロッピーインターフェイスコネクタ（あるいはフレキシブルディスクインターフェイスコネクタ、ＦＤインターフェイスコネクタ）２１とフロッピーインターフェイスケーブル（あるいはフレキシブルディスクインターフェイスケーブル、ＦＤインターフェイスケーブル）４で接続されるフロッピーインターフェイスコネクタ（あるいはフレキシブルディスクインターフェイスコネクタ、ＦＤインターフェイスコネクタ）１８と、フロッピーイメージファイルを保存する揮発性メモリ１３と、揮発性メモリ１３とホストコンピュータ２のＦＤＣ２２との間でデータの受け渡しを行うフロッピーインターフェイス（あるいはフレキシブルディスクインターフェイス、ＦＤインターフェイス）１１と、半導体メモリ５と接続される半導体メモリインターフェイスコネクタ１９と、揮発性メモリ１３と半導体メモリ５との間でデータの受け渡しを行う半導体メモリインターフェイス１２と、選択されるフロッピーイメージファイルの領域を切り替えるスイッチ１４と、スイッチ１４の読み込みを行うマイコン１５と、マイコン１５によって揮発性メモリ１３内のフロッピーイメージファイルを選択する選択回路１６と、選択回路１６によって選択されているフロッピーイメージファイルの領域を表示するＬＥＤ１７とから構成される。
【００１２】
図２の本発明の記録再生装置１の一例を示す第１の概念図と図４の本発明の記録再生装置１の一例を示す第１のフローチャートにて、フロッピーイメージファイルの選択方法の一例について説明する。記録再生装置１に電源が入るとマイコン１５は、図４のステップ３０に示すように、揮発性メモリ１３の初期化と、図４のステップ３１に示すように、スイッチ１４の入力の情報の初期化を行う。マイコン１５によって揮発性メモリ１３の初期化が行われたことにより、揮発性メモリ１３内にはフロッピーイメージファイル３００からフロッピーイメージファイル３９９までのフロッピーイメージファイルの領域が確保されるので、図４のステップ３２に示すように、選択回路１６は、揮発性メモリ１３内のフロッピーイメージファイル３００の領域と半導体メモリ５内のフロッピーイメージファイル５００を選択した状態となり、図４のステップ３３に示すように、フロッピーイメージファイル５００は半導体メモリインターフェイス１２を介してフロッピーイメージファイル３００の領域に書き込まれる。また、図４のステップ３４に示すように、ＬＥＤ１７は「００」を表示する。
【００１３】
図４のステップ３５に示すように、マイコン１５はスイッチ１４の入力を監視しており、マイコン１５はスイッチ１４が入力されると、図４のステップ３６に示すように、選択するフロッピーイメージファイルの領域をプラスまたはマイナスさせるかを判断する。プラスの判断がされると、図４のステップ４０に示すように、選択回路１６は揮発性メモリ１３内のフロッピーイメージファイルの領域の番号に’＋１’した番号のフロッピーイメージファイルの領域を選択し、半導体メモリ５内のフロッピーイメージファイルの番号を’＋１’した番号の半導体メモリ５内のフロッピーイメージファイルを選択した状態となり、図４のステップ４２ａに示す様に、半導体メモリ５内のフロッピーイメージファイル５０１は半導体メモリインターフェイス１２を介して揮発性メモリ１３内のフロッピーイメージファイル３０１の領域に書き込まれる。また、図４のステップ４３に示すように、ＬＥＤ１７は表示数字を’＋１’する。一例の場合、選択回路１６は図２に示すフロッピーイメージファイル３０１（３００＋１＝３０１）とフロッピーイメージファイル５０１（５００＋１＝５０１）を選択し、ＬＥＤ１７は「０１」（００＋１）を表示する。なお、ここで’＋１’とは図２に番号３００から番号３９９まで１００個の領域を番号の増える方向に向かって循環するように順次選択していくことを意味し、’＋１’により番号３００の次は３０１を選択し、番号３９９の次は元に戻って番号３００を選択する。また、次に説明する‘−１’は、逆に１００個の領域を番号の減少する方向に向かって循環するように順次選択していくことを意味し、’−１’により番号３０１の次は３００を選択し、番号３００の次は最後に戻って番号３９９を選択する。ＬＥＤの番号の選択も同様である。また、マイナスの判断がされると、図４のステップ４４に示すように、選択回路１６は揮発性メモリ１３内のフロッピーイメージファイルの領域の番号を’−１’した番号のフロッピーイメージファイルの領域を選択し、半導体メモリ５内のフロッピーイメージファイルの番号を’−１’した番号の半導体メモリ５内のフロッピーイメージファイルを選択した状態となり、図４のステップ４６ａに示すように、半導体メモリ５内のフロッピーイメージファイル５９９は半導体メモリインターフェイス１２を介して揮発性メモリ１３内のフロッピーイメージファイル３９９の領域に書き込まれる。また、図４のステップ４７に示すように、ＬＥＤ１７は表示の数字を’−１’する。一例の場合、先に説明したように、選択回路１６はフロッピーイメージファイル３９９（３００の一つ手前）とフロッピーイメージファイル５９９（５００の一つ手前）を選択し、ＬＥＤ１７は「９９」（００の一つ手前）を表示する。
【００１４】
図３の本発明の記録再生装置１の一例を示す第２の概念図と図５の本発明の記録再生装置１の一例を示す第２のフローチャートにて、第２のフロッピーイメージファイルの選択方法の一例について説明する。図５のステップ３０に示すように、記録再生装置１に電源が入るとマイコン１５は揮発性メモリ１３の初期化と、図５のステップ３１に示すように、スイッチ１４の入力の情報初期化を行う。また、マイコン１５によって揮発性メモリ１３の初期化が行われたことにより、揮発性メモリ１３内にはフロッピーイメージファイル３００のフロッピーイメージファイルの領域が確保されるので、図５のステップ３２に示すように、選択回路１６は揮発性メモリ１３内のフロッピーイメージファイル３００の領域と半導体メモリ５内のフロッピーイメージファイル５００を選択した状態となり、図５のステップ３３に示すように、フロッピーイメージファイル５００は半導体メモリインターフェイス１２を介してフロッピーイメージファイル３００の領域に書き込まれる。また、図５のステップ３４に示すようにＬＥＤ１７は「００」を表示する。
【００１５】
図５のステップ３５に示すように、マイコン１５はスイッチ１４の入力を監視しており、マイコン１５はスイッチ１４が入力されると、図５のステップ３６に示すように、選択するフロッピーイメージファイルの領域をプラスまたはマイナスさせるかを判断する。プラスの判断がされると、図５のステップ４１に示すように、選択回路１６は半導体メモリ５内のフロッピーイメージファイルの番号を’＋１’した番号のフロッピーイメージファイルを選択した状態となり、図５のステップ４２ｂに示すように、半導体メモリ５内のフロッピーイメージファイル５０１は半導体メモリインターフェイス１２を介して揮発性メモリ１３内のフロッピーイメージファイル３００の領域に書き込まれる。また、図５のステップ４３に示すように、ＬＥＤ１７は表示の数字を’＋１’する。先に説明したのと同様に、一例の場合、選択回路１６はフロッピーイメージファイル５０１を選択し、ＬＥＤ１７は「０１」を表示する。また、マイナスの判断がされると、図５のステップ４５に示すように、選択回路１６は半導体メモリ５内のフロッピーイメージファイルを’−１’して選択した状態となり、図５のステップ４６ｂに示すように、半導体メモリ５内のフロッピーイメージファイル５９９は半導体メモリインターフェイス１２を介して揮発性メモリ１３内のフロッピーイメージファイル３００の領域に書き込まれる。また、図５のステップ４７に示すように、ＬＥＤ１７は表示の数字を’−１’する。一例の場合、選択回路１６はフロッピーイメージファイル５９９を選択し、ＬＥＤ１７は「９９」を表示する。
【００１６】
これらの一例でスイッチ１４は押しボタン型スイッチで説明を行ったが、ロータリースイッチやスライドスイッチを使用してもよい。
【００１７】
以上のようなフロッピーイメージファイルの選択方法により複数のフロッピーイメージファイルから選択された1つのフロッピーイメージファイルは半導体メモリインターフェイスコネクタ１９に接続された半導体メモリ５に半導体インターフェイスを通じて記録再生される。
【００１８】
図６は本発明の記録再生装置１が半導体メモリ５にフロッピーイメージファイルを書き込む一例を示す第３のフローチャートである。図６のステップ５０に示すように、ホストコンピュータ２より揮発性メモリ１３内のフロッピーイメージファイルに書き込みが行われると、図６のステップ５１に示すように、揮発性メモリ１３内の該フロッピーイメージファイルを半導体メモリ５に保存する。
【００１９】
図７は本発明の記録再生装置１が半導体メモリ５にフロッピーイメージファイルを書き込む一例を示す第４のフローチャートである。図７のステップ５２に示すように、マイコン１５はスイッチ１４の入力を監視しており、図７のステップ５３に示すように、マイコン１５はスイッチ１４が入力されると、揮発性メモリ１３内の該フロッピーイメージファイルを半導体メモリ５に保存する。
【００２０】
図８は本発明の記録再生装置１が半導体メモリ５にフロッピーイメージファイルを書き込む一例を示す第３の概念図を示し、図９は本発明の記録再生装置１が半導体メモリ５にフロッピーイメージファイルを書き込む一例を示す第５のフローチャートで、図１０は本発明の記録再生装置１が半導体メモリ５からフロッピーイメージファイルを読み出す一例を示す第６のフローチャートである。図９のステップ６０に示すように、記録再生装置１に電源が入るとマイコン１５はマイコン１５内のタイマーを初期化する。図９のステップ６１に示すように、ホストコンピュータ２より揮発性メモリ１３内のフロッピーイメージファイルに書き込みが行われると、図９のステップ６２に示すように、マイコン１５はタイマーのカウントを開始し、図９のステップ６３に示すように、一定時間経過すると、図９のステップ６４に示すように揮発性メモリ１３内の該フロッピーイメージファイルを半導体メモリ５のバックアップ領域にバックアップフロッピーイメージファイル５９９ａとして保存する。また、半導体メモリ５内のバックアップフロッピーイメージファイル５９９ａの読み出しは、図１０に示す第６のフローチャートのステップ７０に示すように、マイコン１５がスイッチ１４のバックアップフロッピーイメージファイルの読み込み入力を監視しており、スイッチ１４が入力されると、図１０のステップ７１に示すように、半導体メモリ５のバックアップフロッピーイメージファイル５９９aを揮発性メモリ１３内のＬＥＤ１７で表示されたフロッピーイメージファイルの領域に書き込む。
【００２１】
本発明の記録再生装置１の一例では半導体インターフェイスコネクタ１９に半導体メモリ５が接続される形態を示したが、図１に示すように、半導体インターフェイスコネクタ１９にＵＳＢ接続フロッピーディスクドライブ６を接続することも可能である。この場合、選択回路１６によって選択された1つのフロッピーイメージファイルはフロッピーディスクに記録再生される。
【００２２】
図１１は本発明の記録再生装置１の一例を示す正投影図である。記録再生装置１の前面には半導体メモリ５と接続される半導体メモリインターフェイスコネクタ１９と、スイッチ１４と、選択されているフロッピーイメージファイルの領域を表示するＬＥＤ１７を配置する。また、記録再生装置１の背面にはフロッピーインターフェイスケーブル４で接続されるフロッピーインターフェイスコネクタ１８と、記録再生装置１に電源を供給する電源コネクタ７を配置する。
【００２３】
以上説明した各実施形態の記録再生装置１は、ホストコンピュータ２にＦＤＣとの接続とＩＳＡバスなどのシリアルバスへ切り替える回路や半導体メモリ５のコントローラが無くとも半導体メモリ５への記録再生をすることができる。
【符号の説明】
【００２４】
１  記録再生装置、２  ホストコンピュータ、４  フロッピーインターフェイスケーブル、５  半導体メモリ、６  ＵＳＢ接続ＦＤＤ、７  電源コネクタ、１１  フロッピーインターフェイス、１２  半導体メモリインターフェイス、１３  揮発性メモリ、１４  スイッチ、１５  マイコン、１６  選択回路、１７  ＬＥＤ、１８、２１  フロッピーインターフェイスコネクタ、１９  半導体メモリインターフェイスコネクタ、３００、３０１、３９９  フロッピーイメージファイル、５００、５０１、５９９  フロッピーイメージファイル、５９９ａ  バックアップフロッピーイメージファイル。
【図１】
2012064262.tif 000003
【図２】
2012064262.tif 000004
【図３】
2012064262.tif 000005
【図４】
2012064262.tif 000006
【図５】
2012064262.tif 000007
【図６】
2012064262.tif 000008
【図７】
2012064262.tif 000009
【図８】
2012064262.tif 000010
【図９】
2012064262.tif 000011
【図１０】
2012064262.tif 000012
【図１１】
2012064262.tif 000013